(57)【要約】      （修正有）【課題】不使用時において占有する空間を縮小するとともに使用を制限し、移動式の場合には、安全に移動することができるバスケットゴールを提供する。【解決手段】設置面に対し平行に設置されるベース１０と、該ベース１０に対し垂直方向に設置され、下端がベース１０の外周の一部に固定される直線状の支柱２０と、該支柱２０の上端と一方の端部とが嵌合して固定され、支柱２０の軸方向に対し垂直方向に延びる他方の端部にバックボード３１が設けられるアーム３０とを含んで構成されるバスケットゴールであって、アーム３０は、支柱２０の軸方向に対し垂直な面内で回転可能とされたものである。【選択図】図１
0003167312.tif 000002
【実用新案登録請求の範囲】
【請求項１】
設置面に対し平行に設置されるベースと、
前記ベースに対し垂直方向に設置され、下端が前記ベースの外周の一部に固定される直線状の支柱と、
前記支柱の上端と一方の端部とが嵌合して固定され、前記支柱の軸方向に対し垂直方向に延びる他方の端部にバックボードが設けられるアームと、
を含んで構成されるバスケットゴールであって、
前記アームは、前記支柱の軸方向に対し垂直な面内で回転可能なことを特徴とするバスケットゴール。
【請求項２】
前記ベースの下面側には、ベースを設置面に対し平行に支持する複数個のキャスターが設けられ、前記キャスターの少なくとも１つにはブレーキ手段が設けられたことを特徴とする請求項１に記載のバスケットゴール。
【請求項３】
前記支柱の上端は、半球状とされ、
前記アームの一方の端部は、前記支柱の上端に嵌合する管状に形成され、その内側には前記支柱の上端と当接するストッパが設けられ、前記支柱と前記アームとの嵌合する部分には、この嵌合部分を前記支柱の軸方向と垂直方向に貫通する貫通ボルトを通すボルト孔が設けられたことを特徴とする請求項１又は２に記載のバスケットゴール。
【請求項４】
設置面に対し上向きに設置され、下端部が設置面に埋設された直線状の支柱と、
前記支柱の上端と一方の端部とが嵌合して固定され、前記支柱の軸方向に対し垂直方向に延びる他方の端部にバックボードが設けられるアームと、
を含んで構成されるバスケットゴールであって、
前記アームは、前記支柱の軸方向に対し垂直な面内で回転可能なことを特徴とするバスケットゴール。
【請求項５】
前記支柱の上端は、半球状とされ、
前記アームの一方の端部は、前記支柱の上端に嵌合する管状に形成され、その内側には前記支柱の上端と当接するストッパが設けられ、前記支柱と前記アームとの嵌合する部分には、この嵌合部分を前記支柱の軸方向と垂直方向に貫通する貫通ボルトを通すボルト孔が設けられたことを特徴とする請求項４に記載のバスケットゴール。
【考案の詳細な説明】
【技術分野】
【０００１】
本考案は、設置面に設置してバスケットボール競技に使用するバスケットゴールに関し、詳しくは、バックボードを支持するアームを、設置面と平行な面内で回転可能とすることによって、不使用時において占有する空間を縮小するとともに使用を制限し、移動式の場合には、安全に移動することができるバスケットゴールに係るものである。
【背景技術】
【０００２】
従来のバスケットゴールは、コロを有する基台と、基台に下端部がヒンジ軸で軸支された支柱と、支柱の上端部に支持されたアームと、アームの後端部と基台との間を伸縮可能に連結するステイと、アームの前端部に垂直に支持されたバックボードと、バックボードに水平に支持されたゴールリングと、からなっていた（例えば特許文献１参照）。
このバスケットゴールは、コロによって床面を移動可能であり、バスケットボール競技で使用する際や、収納する際には、アウトリガーを介してコロを床面から浮かせることにより固定設置することができた。
【先行技術文献】
【特許文献】
【０００３】
【特許文献１】特開平１０−８５３７４号公報
【考案の概要】
【考案が解決しようとする課題】
【０００４】
しかし、前記従来のバスケットゴールにおいては、支柱から基台と反対方向に延びたアームを回転させたり収縮させたりすることができなかったため、不使用時において、基台の後端部からゴールリングの前端部までの広い空間を占有していた。特に収納の際には、広い空間が必要となり不便であった。
【０００５】
また、夜間等のバスケットゴールの不使用時においても、バスケットゴール自体は使用可能であったため、管理者が不在の間に勝手に使用され、騒音や予期せぬ事故が起こるおそれがあった。
【０００６】
さらに、前記従来のバスケットゴールのような移動式のバスケットゴールの場合、アームの重さによりバスケットゴールの重心がバスケットゴールのアーム側に偏って位置するため、移動中にバランスを崩して転倒するおそれがあり危険であった。
【０００７】
そこで、このような問題点に対処し、本考案が解決しようとする課題は、バックボードを支持するアームを、設置面と平行な面内で回転可能とすることによって、不使用時において占有する空間を縮小するとともに使用を制限することができるバスケットゴールを提供することにある。また、移動式のバスケットゴールの場合においては、安全に移動可能なバスケットゴールを提供することにある。
【課題を解決するための手段】
【０００８】
前記課題を解決するために、第１の考案によるバスケットゴールは、設置面に対し平行に設置されるベースと、前記ベースに対し垂直方向に設置され、下端が前記ベースの外周の一部に固定される直線状の支柱と、前記支柱の上端と一方の端部とが嵌合して固定され、前記支柱の軸方向に対し垂直方向に延びる他方の端部にバックボードが設けられるアームと、を含んで構成されるバスケットゴールであって、前記アームは、前記支柱の軸方向に対し垂直な面内で回転可能としたものである。
【０００９】
このような構成により、このバスケットゴールは、アームを支柱の軸方向に対し垂直な面内で回転させ、所定の位置で固定することができる。
【００１０】
また、前記ベースの下面側には、ベースを設置面に対し平行に支持する複数個のキャスターが設けられ、このキャスターの少なくとも１つにはブレーキ手段が設けられたものである。これにより、バスケットゴールをキャスターにより移動することができる。また、ブレーキ手段により、キャスターにブレーキをかけ、バスケットゴールを固定することができる。さらに、移動時に、アームをベースの上方の位置で固定し、バスケットゴールの重心をベースの中央部に位置させることができる。
【００１１】
さらに、前記支柱の上端は半球状とされ、アームの一方の端部は、支柱の上端に嵌合する管状に形成され、その内側には支柱の上端と当接するストッパが設けられ、支柱とアームとの嵌合する部分には、この嵌合部分を支柱の軸方向と垂直方向に貫通する貫通ボルトを通すボルト孔が設けられたものである。これにより、支柱の軸方向に対し垂直な面内で回転可能なアームを、ボルト孔に貫通ボルトを通して固定することができる。
【００１２】
また、第２の考案によるバスケットゴールは、設置面に対し上向きに設置され、下端部が設置面に埋設された直線状の支柱と、前記支柱の上端と一方の端部とが嵌合して固定され、前記支柱の軸方向に対し垂直方向に延びる他方の端部にバックボードが設けられるアームと、を含んで構成されるバスケットゴールであって、前記アームは、前記支柱の軸方向に対し垂直な面内で回転可能としたものである。
【００１３】
このような構成により、このバスケットゴールは、アームを支柱の軸方向に対し垂直な面内で回転させ、所定の位置で固定することができる。
【００１４】
そして、前記支柱の上端は半球状とされ、アームの一方の端部は、支柱の上端に嵌合する管状に形成され、その内側には支柱の上端と当接するストッパが設けられ、支柱とアームとの嵌合する部分には、この嵌合部分を支柱の軸方向と垂直方向に貫通する貫通ボルトを通すボルト孔が設けられたものである。これにより、支柱の軸方向に対し垂直な面内で回転可能なアームを、ボルト孔に貫通ボルトを通して固定することができる。
【考案の効果】
【００１５】
請求項１に係る考案によれば、バスケットゴールの不使用時、特にバスケットゴールを収納する際には、アームを支柱の軸方向に対し垂直な面内で回転させて、バックボードがベースの直上になる位置でアームを固定することができる。従って、ベース上方の空間にアーム、バックボード及びゴールリングを収納することができるため、バスケットゴールが不使用時において占有する空間を縮小することができる。また、不使用時にアームをこのような位置で固定しておくことで、バスケットゴールの使用を制限することができる。
【００１６】
請求項２に係る考案によれば、バスケットゴールをキャスターにより容易に移動することができるとともに、ブレーキ手段により、バスケットゴールを容易に固定することができる。また、移動時にアームをベースの上方の位置で固定することにより、バスケットゴールの重心はベースの中央部に位置するため、バスケットゴールは安定し、転倒し難くなり、安全に移動することができる。
【００１７】
請求項３に係る考案によれば、ボルト孔に貫通ボルトを通すことによりアームを容易に固定することができる。
【００１８】
請求項４に係る考案によれば、バスケットゴールの不使用時に、アームを支柱の軸方向に対し垂直な面内で回転させて、バスケットボール競技面と反対方向の位置でアームを固定することができる。従って、バスケットボール競技面上方の空間からアームを退避させることができるため、バスケットゴールの不使用時において占有する空間を縮小することができる。また、不使用時にアームをこのような位置で固定しておくことで、バスケットゴールの使用を制限することができる。
【００１９】
請求項５に係る考案によれば、ボルト孔に貫通ボルトを通すことによりアームを容易に固定することができる。
【図面の簡単な説明】
【００２０】
【図１】第１の考案によるバスケットゴールの実施形態の使用状態及び不使用状態を示す側面図である。
【図２】図１に記載のバスケットゴールの使用状態の正面図である。
【図３】図１に記載のバスケットゴールの使用状態の平面図である。
【図４】図３における支柱とアームとの嵌合部分のＡ―Ａ線断面図である。
【図５】第２の考案によるバスケットゴールの実施形態の使用状態及び不使用状態を示す側面図である。
【考案を実施するための形態】
【００２１】
以下、本考案の実施形態を添付図面に基づいて詳細に説明する。
図１は第１の考案によるバスケットゴールの実施形態の使用状態及び不使用状態を示す側面図である。図１において実線で示したものはバスケットゴールの使用状態を表し、二点鎖線で示したものは不使用状態を表している。このバスケットゴールは、バスケットボール競技で移動式のゴールとして使用されるものであって、ベース１０と、支柱２０と、アーム３０と、を含んで構成される。
【００２２】
ベース１０は、このバスケットゴールを設置する設置面Ｇに対し平行に設置される。図３に示すように、このベース１０は、平行な２本の長い金属製のパイプ１１，１２と、平行な２本の短い金属製のパイプ１３，１４とからなり、平面視矩形の枠状に形成されている。なお、ベース１０は矩形に限らず、例えば三角形の枠状とすることもできる。また、ベース１０は金属製のパイプにより枠状に形成されるのに限らず、金属板や木板により板状に形成されてもよい。
【００２３】
前記パイプ１３とパイプ１４との間には、それらと平行な金属製のパイプ１５が設けられている。パイプ１５の両端は、長いパイプ１１，１２に固定されており、パイプ１３とパイプ１５とには、パイプ１１，１２と平行な方向に延びる、対向する金属製のフランジ１６，１７がそれぞれ設けられている。バスケットゴールを使用する際には、パイプ１３とパイプ１５との間に、フランジ１６，１７を介して金属板や木板を渡し、その上にコンクリート塊等を載せ、バスケットゴールの安定性を向上させるための重り（カウンターウェイト）とすることができる。
【００２４】
ベース１０の下面側には、図１，２に示すように、ベース１０を設置面Ｇに対し平行に支持するキャスター１８，１９が設けられている。キャスター１８，１９は、ベース１０の下面側の四隅にそれぞれ設けられており、図３に示すパイプ１３側に設けられた２つのキャスター１９にはブレーキ手段が設けられている。図１に示すように、図３に示すパイプ１４側に設けられた２つのキャスター１８には固定式のキャスターを使用するのが好ましい。キャスターは、ベース１０を設置面Ｇに対し平行に支持可能であればいくつ設けられてもよく、そのうち少なくとも１つにはブレーキ手段を設けられるのが好ましい。
【００２５】
支柱２０は、図１，２に示すように、金属製のパイプにより直線状に形成され、ベース１０に対し垂直方向に設置されている。そして、支柱２０の下端は、図２，３に示すように、ベース１０のパイプ１４の中央に固定されている。図１〜３に示すように、支柱２０とベース１０の長いパイプ１１，１２との間には、支柱２０が転倒しないよう支持するための控柱２１がそれぞれ設けられている。
【００２６】
アーム３０は、図１，２に示すように、その一方の端部（以下、「基端部」という）が支柱２０の上端２２（図４参照）と嵌合して固定され、他方の端部（以下、「先端部」という）が支柱２０の軸方向に対し垂直方向に延び、その先端にゴールリング３４を備えたバックボード３１が設けられている。図１に示すように、アーム３０は全体としてＬ字型に形成され、アーム３０のＬ字型の内側、すなわち、アーム３０の基端部側と先端部側との間には、アーム３０の先端部側がバックボード３１やゴールリング３４の重みで歪まないように控柱３２が設けられている。アーム３０の先端部はバックボード３１の背面に固定されており、バックボード３１の背面とアーム３０の先端部側との間には、バックボード３１を支持するための控柱３３が設けられている。
【００２７】
ここで、本考案においては、前記アーム３０は、前記支柱２０の軸方向に対し垂直な面内で回転可能とされている。
支柱２０とアーム３０とが嵌合する嵌合部分は、図４に示すように、支柱２０の上端２２に対しアーム３０の基端部が外側から嵌合する構造となっている。この場合、前記支柱２０の上端２２は、半球状とされている。また、アーム３０の基端部は、支柱２０の上端２２と嵌合可能なように管状に形成されており、その内側には、支柱２０の上端２２と当接して、アーム３０を支柱２０の軸方向に対して固定する平板状のストッパ３５が設けられている。
【００２８】
また、支柱２０とアーム３０との嵌合部分には、この嵌合部分を支柱２０の軸方向と垂直方向に貫通する貫通ボルト４０を通すボルト孔が設けられている。このボルト孔は、支柱２０とアーム３０との両方にそれぞれ設けられ、支柱２０に設けられた２つのボルト孔とアーム３０に設けられた２つのボルト孔とは、いずれも支柱２０の軸と直交する直線上に設けられている。支柱２０に設けられたボルト孔とアーム３０に設けられたボルト孔とは、図１に実線で示すように、アーム３０をこのバスケットゴールの使用状態の位置とした際に、同一直線上に重なるように設けられている。なお、支柱２０とアーム３０との間の嵌合部分の構造はこれに限られず、アーム３０が支柱２０の軸方向に対し垂直な面内で回転可能なものであれば、他の構造であってもよい。
【００２９】
次に、このように構成されたバスケットゴールの使用方法について、図１〜図４を参照して説明する。
【００３０】
このバスケットゴールをバスケットボール競技で使用する際には、まず、図１に示すキャスター１９のブレーキ手段を解除し、アーム３０をバスケットゴールの不使用状態の位置（図１に二点鎖線で示すように回転した位置）で固定したままバスケットゴールの設置面Ｇまで移動する。バスケットゴールは、ベース１０の下面側の四隅にそれぞれキャスター１８，１９が設けられているため、容易に設置面Ｇまで移動することができる。バスケットゴールを設置面Ｇまで移動したら、ブレーキ手段によりキャスター１９にブレーキをかけてバスケットゴールを固定する。このように、キャスター１９にブレーキ手段を設けたことにより、バスケットゴールを容易に固定することができる。また、設置面Ｇが地面の場合には、バスケットゴールを固定するための杭（図示省略）を、ベース１０を構成するパイプ１１，１２，１３，１４の任意の位置に引っ掛けた状態で地面に打ち込み、バスケットゴールを強固に固定することができる。さらに、パイプ１３とパイプ１５との間に、フランジ１６，１７を介して金属板や木板を渡し、その上にコンクリート塊等の重りを載せ、バスケットゴールの転倒を防止し、安定性を向上させることもできる。
【００３１】
次に、図１〜３に実線で示すように、アーム３０をバスケットゴールの使用状態の位置まで回転させる。すなわち、アーム３０とベース１０の長いパイプ１１，１２とが平行かつ反対向きの位置になるまでアーム３０を回転させる。図４に示すように、支柱２０の上端２２は半球状に形成されているため、この上端２２とアーム３０の一方の端部の内側に設けられたストッパ３５とは点接触となり、アーム３０を回転させる際にこの接触部における摩擦が小さくなる。よって、小さい力でアーム３０を回転させることができる。アーム３０の回転は手動で行ってもよいし、機械駆動により行ってもよい。
最後に、アーム３０と支柱２０との嵌合部に設けられたボルト孔に貫通ボルト４０を通し、アーム３０が回転しないように固定する。
【００３２】
バスケットゴールの不使用時、特にバスケットボール競技での使用後にこのバスケットゴールを収納する際には、まず、前記ボルト孔に通した貫通ボルト４０を抜き、図１に二点鎖線で示すように、アーム３０をバスケットゴールの不使用状態の位置まで回転させる。すなわち、アーム３０を、アーム３０とベース１０の長いパイプ１１，１２とが平行かつ同じ向きの位置になるまで１８０度回転させる。
【００３３】
そして、再びボルト孔に貫通ボルト４０を通し、アーム３０を固定する。ここで、支柱２０及びアーム３０にそれぞれ設けられたボルト孔は、支柱２０の軸と直交する直線上に設けられているため、このようにアーム３０を１８０度回転させると同一直線上に重なる。そのため、使用時及び不使用時の両方で、同じボルト孔を使用することができる。したがって、不使用時にアーム３０を固定するための新たなボルト孔を設ける必要がなく、支柱２０及びアーム３０の強度を維持できる。
【００３４】
アーム３０を固定したら、キャスター１９のブレーキ手段を解除し、収納する場所までバスケットゴールを移動する。バスケットゴールが杭により固定されている場合には、この杭を抜いた後に移動する。移動中にアーム３０はベース１０の上方の位置で固定されているため、バスケットゴールの重心はベース１０の中央部に位置する。そのため、バスケットゴールは安定し、転倒し難くなり、安全に移動することができる。また、このバスケットゴールには、アーム３０を上記位置で固定しない限り、バスケットゴールが移動できないようにキャスター１８，１９をロックするロック機構を設けてもよい。このロック機構は電子制御されてもよいし、機械制御されてもよい。このようなロック機構を設けることにより、誤ってアーム３０を固定せずに移動することや、使用時の状態のまま移動することがなくなるため、安全な状態でのバスケットゴールの移動を確保できる。
【００３５】
バスケットゴールを収納する場所まで移動したら、ブレーキ手段によりキャスター１９にブレーキをかけバスケットゴールを固定する。また、収納場所が地面の場合には、バスケットゴールを固定するための杭（図示省略）を、ベース１０を構成するパイプ１１，１２，１３，１４の任意の位置に引っ掛けた状態で地面に打ち込み、バスケットゴールを強固に固定することができる。このようにバスケットゴールを収納した状態において、アーム３０はベース１０の上方の位置で固定されているため、ベース１０の上方の空間にアーム３０、アーバックボード３１、及びゴールリング３４を収納することができる。そのため、バスケットゴールが収納時（不使用時）において占有する空間を縮小することができる。また、ゴールリング３４の下方にベース１０が位置することとなるため、バスケットゴールとしての使用が困難となり、バスケットゴールの使用を制限することができる。
【００３６】
なお、以上の説明において、バスケットゴールはベース１０の下面側に複数個のキャスターを設けたものとしたが、本考案はこれに限らず、ベース１０の下面側にキャスターを設けず、図１，２において、ベース１０を設置面Ｇに対し直接載置するものとしてもよい。
【００３７】
図５は、第２の考案によるバスケットゴールの実施形態の使用状態及び不使用状態を示す側面図である。このバスケットゴールは、バスケットボール競技で固定式のゴールとして使用されるものであって、支柱２０と、アーム３０と、を含んで構成される。図５において実線で示したものはバスケットゴールの使用状態を表し、二点鎖線で示したものは不使用状態を表している。
【００３８】
支柱２０は、金属製のパイプにより直線状に形成されており、設置面Ｇに対し上向きに設置されている。図５に示すように、支柱２０の下端部は、バスケットゴールを安定して設置するために、コンクリート塊やセメント、石などにより設けられた基底部Ｂに固定され、基底部Ｂごと設置面Ｇに埋設されている。この場合、基底部Ｂの上面と設置面Ｇとが同じ高さとなるように埋設されるのが好ましい。
【００３９】
アーム３０は、支柱２０の軸方向に対し垂直な面内で回転可能とされており、支柱２０と嵌合する一方の端部（以下、「基端部」という）を含む基端部側と、支柱２０の軸方向に対し垂直方向に延び、その先端にゴールリング３４を備えたバックボード３１が設けられている他方の端部（以下、「先端部」という）を含む先端部側と、を含んで構成される。図５に示すように、基端部側の頂部からバックボード３１の背面まで先端部側を補強する控柱３６が設けられており、この控柱３６からバックボード３１の背面上部まで、バックボード３１を支持するための控柱３３が設けられている。
【００４０】
なお、支柱２０とアーム３０との嵌合部分は、図４に示す実施形態と同様に構成されている。また、アーム３０は、図１に示す実施形態と同様の構成とすることもできる。
【００４１】
次に、このように構成されたバスケットゴールの使用方法について、図４，５を参照して説明する。
【００４２】
このバスケットゴールをバスケットボール競技で使用する際には、図５に実線で示すように、アーム３０をバスケットゴールの使用状態の位置まで回転させる。すなわち、アーム３０が、バスケットボール競技面の方向（図５の左側）を向く位置までアーム３０を回転させる。そして、図４に示すように、アーム３０と支柱２０との嵌合部に設けられたボルト孔に貫通ボルト４０を通し、アーム３０が回転しないように固定する。
【００４３】
バスケットゴールの不使用時には、まず、前記ボルト孔に通した貫通ボルト４０を抜き、アーム３０をバスケットゴールの不使用状態の位置まで回転させる。すなわち、アーム３０を使用状態の位置から１８０度回転させる（図５の二点鎖線で示した状態参照）。
【００４４】
そして、再びボルト孔に貫通ボルト４０を通し、アーム３０を固定する。図５に示すように、バスケットゴールが建物等の壁面Ｗ近くに設置されている場合、使用状態においてバスケットゴールは、バスケットボール競技面の上方を占有すると同時に、その背面側もバスケットボール競技に使用するスコアボード等の道具を置く以外には使用できない状態とし、実質的にバスケットゴールのバスケットボール競技面側及びその反対側の空間を占有する。しかし、不使用状態においては、上記のように回転させた位置でアーム３０が固定されることにより、バスケットボール競技面側の空間を開放し、バスケットゴールが占有する空間を縮小することが出来る。また、ゴールリング３４が壁面Ｗと近接することとなるため、バスケットゴールとしての使用が困難となり、バスケットゴールの使用を制限することができる。
【符号の説明】
【００４５】
１０…ベース
１１，１２…長いパイプ
１３，１４…短いパイプ
１５…パイプ
１６，１７…フランジ
１８，１９…キャスター
２０…支柱
２１…控柱
２２…上端
３０…アーム
３１…バックボード
３２，３３，３６…控柱
３４…ゴールリング
３５…ストッパ
４０…貫通ボルト
Ｂ…基底部
Ｇ…設置面
Ｗ…壁面
【図１】
0003167312.tif 000003
【図２】
0003167312.tif 000004
【図３】
0003167312.tif 000005
【図４】
0003167312.tif 000006
【図５】
0003167312.tif 000007